(57)【要約】【課題】  外部装置と接続して供給される電力を用いて第２の電力状態から第１の電力状態に復帰するための要因を検出して、省電力モード時は前記外部より接続されるバスパワーから電源供給する。【解決手段】    画像形成装置を動作させる電源部と、前記画像形成装置の全体を制御するＣＰＵと、揮発性メモリで構成される主記憶装置とを備え、前記画像形成装置は通常動作する通常モードと省電力モードとを有する画像形成装置において、省電力状態から復帰する要因を検出した場合、前記通常モード時は前記電源部から電源供給し、前記省電力モード時は前記外部より接続されるバスパワーから電源供給することを特徴とする。【選択図】  図１１
2015152846.tif 000002
【特許請求の範囲】
【請求項１】
画像形成装置を動作させる電源部と、 
前記画像形成装置の全体を制御するＣＰＵと、 
揮発性メモリで構成される主記憶装置と、 
前記電源部の電源を制御する電源制御手段と、 
前記省電力状態から復帰する要因を検出する復帰要因検出手段と、 
を有し、 
前記画像形成装置は通常動作する通常モードと省電力モードとを有し、 
前記復帰要因検出手段は、 
前記通常モード時は前記電源部から電源供給し、 
前記省電力モード時は前記外部より接続されるバスパワーから電源供給することを特徴とする画像形成装置。 
【請求項２】
前記復帰要因検出手段は、ＵＳＢペリフェラルデバイスとして機能させるためのＵＳＢコントローラであり、 
前記ＵＳＢコントローラは、
省電力モード時は前記ＵＳＢコントローラと外部より接続されるＵＳＢホストからのＶＢＵＳ信号から電源供給することを特徴とする請求項１記載の画像形成装置。 
【請求項３】
画像形成装置を動作させる電源部と、前記画像形成装置の全体を制御するＣＰＵと、揮発性メモリで構成される主記憶装置とを備え、前記画像形成装置は通常動作する通常モードと省電力モードとを有する画像形成装置の電源制御方法であって、
前記電源部の電源を制御する電源制御工程と、
前記省電力状態から復帰する要因を検出する復帰要因検出工程とを備え、
前記復帰要因検出工程は、
前記通常モード時は前記電源部から電源供給し、 
前記省電力モード時は前記外部より接続されるバスパワーから電源供給することを特徴とする画像形成装置の電源制御方法。 
【発明の詳細な説明】
【技術分野】
【０００１】
本発明は、画像形成装置、画像形成装置の電源制御方法、及びプログラムに関するものである。
【背景技術】
【０００２】
近年、環境への関心はますます深まり、環境を配慮した機能、省エネルギーモード（以下、省エネモード）や使用電力表示などを搭載した製品が数多く製品化されている。
画像形成装置も省電力モードを有し、画像形成装置のユーザの使用状況や待機時間などにより、使用していない時間はなるべく長い時間省電力モードを継続できるように制御している。
【０００３】
しかしながら、画像形成装置の多機能化、ユーザの使用状況や機能設定に伴い、省電力モードもその待機モード数が増加しており、省電力モード中の消費電力にも違いがでている。同様に、省エネモードから復帰する復帰要因も増えてきている。
【０００４】
また、ＵＳＢペリフェラルデバイスとして機能させるためのＵＳＢコントローラは、ＵＳＢホストデバイスであるユーザのパーソナルコンピュータによって任意のタイミングで接続／切断が可能である。
ＵＳＢホストデバイスは、一定の電流量の使用を許容するＶＢＵＳ信号を有しており、近年では許容電流量も増加してきている。
こうした背景の中、ＵＳＢのＶＢＵＳ信号を電子機器内の動作電圧として動作させる技術が提案されている。（特許文献１参照）
【先行技術文献】
【特許文献】
【０００５】
【特許文献１】特開２００７-９４６５９号公報
【発明の概要】
【発明が解決しようとする課題】
【０００６】
しかしながら、上述した従来の技術では、装置内の全ての動作をＶＢＵＳ信号で実施させるようとすると、ＵＳＢホストデバイスの電源品質や装置内の動作による電源変動などにより装置の動作を安定して保てない可能性があるという課題がある。
【０００７】
本発明は、上記の課題を解決するためになされたもので、本発明の目的は、外部装置と接続して供給される電力を用いて第２の電力状態から第１の電力状態に復帰するための要因を検出することができる仕組みを提供することである。
【課題を解決するための手段】
【０００８】
上記目的を達成する本発明の画像形成装置は以下に示す構成を備える。
画像形成装置を動作させる電源部と、前記画像形成装置の全体を制御するＣＰＵと、
揮発性メモリで構成される主記憶装置と、前記電源部の電源を制御する電源制御手段と、
前記省電力状態から復帰する要因を検出する復帰要因検出手段と、を有し、前記画像形成装置は通常動作する通常モードと省電力モードとを有し、前記復帰要因検出手段は、前記通常モード時は前記電源部から電源供給し、前記省電力モード時は前記外部より接続されるバスパワーから電源供給することを特徴とする。
【発明の効果】
【０００９】
本発明によれば、外部装置と接続して供給される電力を用いて第２の電力状態から第１の電力状態に復帰するための要因を検出することができる。
【図面の簡単な説明】
【００１０】
【図１】画像形成装置の構成を示す断面図である。
【図２】画像形成装置の制御部の全体構成を示すブロック図である。
【図３】コントローラ制御部の詳細構成を示すブロック図である。
【図４】画像形成装置の操作部の構成を示す図である。
【図５】画像形成装置の省電力モードにかかる電源状態遷移図である。
【図６】コントローラ制御部に供給される電源構成を説明するブロック図である。
【図７】コントローラ制御部に対する各省電力モード時の電源状態図である。
【図８】コントローラ制御部に対する各省電力モード時の電源状態図である。
【図９】画像形成装置の制御方法を説明するフローチャートである。
【図１０】画像形成装置の制御方法を説明するフローチャートである。
【図１１】画像形成装置の制御方法を説明するフローチャートである。
【発明を実施するための形態】
【００１１】
＜システム構成の説明＞
〔第１実施形態〕
【００１２】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１３】
図１は、本実施形態を示す画像形成装置の構成を示す断面図である。本例に示す画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着されている。
【００１４】
図１において、原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードと、原稿をある読取り速度で読取位置Ｒ１へ搬送し、スキャナユニット２０６を読取位置Ｒ１で固定したまま原稿の読取りを行う原稿流し読取モードがある。その後、いずれのモードの場合も、読取った原稿を排紙トレイ１０６に排出する。
【００１５】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１６】
レンズ２０７を介してイメージセンサ２０８により読取られた原稿の画像は、露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１７】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１８】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１９】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００２０】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００２１】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
コントローラ制御部４００はイメージリーダ２００、プリンタ部３００折り装置５００およびフィニッシャ６００と通信を行い、画像形成装置全体の制御を司る。
【００２２】
図２は、図１に示した画像形成装置の制御部の全体構成を示すブロック図である。本例に示す画像形成装置全体を制御するコントローラ制御部４００を中心に構成されている。
図２において、コントローラ制御部４００は、操作要求を受付ける操作部８００の設定や外部コンピュータ４５３からの指示に基づいて原稿搬送装置１００を制御する原稿搬送装置制御部１０１、イメージリーダ２００を制御するイメージリーダ制御部２０１と通信を行い入力される原稿の画像データを取得する。また、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００２３】
外部Ｉ／Ｆ４５１はＵＳＢホストに対応する外部コンピュータ４５３とを接続するインタフェースであり、例えばネットワークやＵＳＢなどの外部バス４５２で接続し外部コンピュータ４５３からのプリントデータを画像に展開して出力し、また図３に示すハードディスク４０７（以下、ＨＤＤ）内の画像データを外部コンピュータ４５３に送信することを行う。 
【００２４】
図３は、図２に示したコントローラ制御部４００の詳細構成を示すブロック図である。
図３において、コントローラ制御部４００はＣＰＵ４０１で制御され、オペレーティングシステム（以下、ＯＳ）で制御される。バスブリッジ４０４はＣＰＵ４０１の初期起動プログラムを格納しているＲＯＭ４０２、ＣＰＵ４０１の制御データを一時的に保持し、制御に伴う演算の作業領域として用いられるＲＡＭ４０３が接続されている。ＲＡＭ４０３は揮発性メモリである。ＲＡＭ４０３は主記憶部として使用される。
半導体ディスク４０８には、ＣＰＵ４０１のＯＳを含むメインプログラムを格納している。ＨＤＤ４０７には、ユーザが取得した画像データや後述する操作部８００で画像を編集したときの保存用に使用される。
【００２５】
また、ＵＳＢインタフェースを制御するＵＳＢペリフェラルデバイスとして機能させるためのＵＳＢデバイスインタフェース制御部４０５、ネットワークを制御するネットワーク制御部４１２、操作部８００を制御する操作部制御部４０６が接続されている。なお、ＵＳＢデバイスインタフェース制御部４０５はＵＳＢコントローラとして機能する。
【００２６】
ＣＰＵ４０１は、バスブリッジ４０４を介して、デバイス制御部４０９間の通信を行う。デバイス制御部４０９は原稿搬送装置制御部１０１、イメージリーダ制御部２０１、プリンタ制御部３０１折り装置制御部５０１、フィニッシャ制御部６０１と接続され制御を司る。
【００２７】
電源制御部４１０は、画像形成装置全体の電力制御を司る。たとえば、メインスイッチ３０２の状態を検出し、画像形成装置全体をＯＦＦするかＯＮするかの電源を制御する。また、原稿搬送装置制御部１０１、イメージリーダ制御部２０１、プリンタ制御部３０１折り装置制御部５０１、フィニッシャ制御部６０１への電源制御も行う。
本発明の実施の形態に係るコントローラ制御部４００内の後述する省電力モードへの移行や復帰に係る電源制御も、電源制御部４１０によって実現される。
【００２８】
コントローラ制御部４００には、省電力モードからの各復帰要因を検出する復帰検出部を有する。復帰検出部は、ＵＳＢデバイスインタフェース制御部４０５、ネットワーク制御部４１２、操作部制御部４０６内で各復帰要因を検出するだけの電力で構成している。
【００２９】
例えば、復帰要因検出を行う操作部復帰検出部４１４は、画像形成装置が省電力モードである場合、図４に示す操作部８００の省エネキー８０４が押下された場合に操作部復帰検出部４１４が電源制御部４１０に伝えて省電力モードから復帰させる。この場合には、操作部復帰検出部４１４は、省エネキー８０４が押下されることを検出できる部分のみ通電している構成になっている。
【００３０】
同様に復帰要因検出を行うネットワーク復帰検出部４１３は、プリントのジョブが投入されたことを検出されたことを判断できる部分のみ通電している。プリントのジョブを受信した際に電源制御部４１０に伝えて省電力モードから復帰させる。省電力モードから復帰させた後、プリント動作を開始できる構成になっている。
【００３１】
同様に本発明の実施の形態に係る復帰要因検出を行うＵＳＢ復帰検出部４１１は、プリントのジョブが投入されたことを検出されたことを判断できる部分のみ通電している。省電力モード中は、ＵＳＢ復帰検出部４１１はＶＢＵＳ信号より電源を供給している。
【００３２】
プリントのジョブを受信した際に電源制御部４１０に伝えて省電力モードから復帰させる。この際に、ＵＳＢ復帰検出部４１１の通電も図６に示す第１の電源３０４からの通電に切替えて、省電力モードから復帰させる。その後、プリント動作を開始できる構成になっている。また、ＶＢＵＳ信号はＵＳＢ復帰検出部４１１を経由して、電源制御部４１０に接続されており、ＶＢＵＳ信号の供給によって、省電力モードから復帰させることも可能な構成になっている。
【００３３】
図４は、図２に示した画像形成装置の操作部８００の構成を示す図である。
図４において、ＬＣＤ表示部９００は、ＬＣＤ上にタッチパネルシートが貼られており、システムの操作画面を表示するとともに、表示してあるキーが押されるとその位置情報をコントローラ制御部４００に伝える。テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザが省電力モードへの移行、復帰を行うのに使用する。
【００３４】
また、８０５はガイドキーであり、キーの機能が解らないとき押すとそのキーの説明が表示される。８０６はコピーモードキーであり、複写を行うときに押す。８０７はファックスキーであり、ファックスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
以下、本発明を適用したＵＳＢインタフェースの省電力モード移行する手段、復帰する手段に関して詳細に説明する。
【００３５】
図５は、本実施形態を示す画像形成装置の省電力モードにかかる電源状態遷移図である。なお、本実施形態において、電力状態として通常動作する通常モードと省電力モードとを有する。
図６は、図３に示したコントローラ制御部４００に供給される電源構成を説明するブロック図である。
図７、図８は、図３に示したコントローラ制御部４００に対する各省電力モード時の電源状態図である。特に、図７は本発明に係る低消費電力モード電源状態であり、図８はＵＳＢ省電力モード電源状態である。以下、図５、図６、図７および図８を参照して各電源状態の詳細に説明する。また、通常モード時は、第１の電源３０４，第２の電源３１８から電力が供給される。
なお、本実施形態では、電源供給状態に対応づけて図５に示す各モードを以下のように定義する。
スタンバイモード（Ｐ１００）
【００３６】
商用電源（ＡＣコンセント）３０３がＯＮの状態で画像形成装置がいつでも動作可能で、即座にすべての操作を受け付ける状態である。メインスイッチ３０２、第１の電源３０４、電源制御部４１０が第１のスイッチ３１９、第２のスイッチ３２０をＯＮ（通電）して、電源部として用いられる第１の電源３０４および第２の電源３１８から画像形成装置全体に給電されている状態である。
電源ＯＦＦモード（Ｐ１０１）
【００３７】
商用電源（ＡＣコンセント）３０３がＯＦＦの状態と同様であり、画像形成装置に電力が供給されていない状態であり、完全ＯＦＦ状態である。このとき、画像形成装置には電力が全く来ていない状態なので、電気的な全ての操作を受け付けない。メインスイッチ３０２の遷移で本モードに遷移する。
スリープモード（Ｐ１０２）
【００３８】
電力状態はスタンバイモードと同様で、スタンバイモード中にユーザが操作部８００内の省エネキー８０４を押下させ省電力状態に移行を指示した場合、あるいは一定時間画像形成装置が未使用である場合などにスリープモードに移行する。ＣＰＵ４０１はＲＡＭ４０３に画像形成装置がスタンバイ状態から省電力モードに移行する直前の画像形成装置の状態のプログラムおよびデータをセルフリフレッシュを実行して保持する。スリープモードは、ＣＰＵ４０１が各省電力モードに移行する直前、すなわち電源制御部４１０に対して省電力モードに移行する指示をする直前までの処理の状態のことである。
低消費電力モード（Ｐ１０３）
【００３９】
図７の電力状態は、ＵＳＢインタフェースに外部コンピュータ４５３が認識されていない場合に、ＣＰＵ４０１から省電力モードに移行する指示がきた場合に電源制御部４１０が制御する電源状態である。網掛け部分には通電していないことを示す。画像形成装置が最も電力を必要としない状態まで電源を切断した省電力モードである。本発明では、電源制御部４１０、ＲＡＭ４０３、ネットワーク復帰検出部４１３、操作部復帰検出部４１４にのみ第１の電源３０４から電力を供給している。電源制御部４１０は、第１のスイッチ３１９、第２のスイッチ３２０をＯＦＦ（切断）することで低消費電力モードを実現している。
【００４０】
スタンバイモードへの復帰は、ネットワーク復帰検出部４１３が外部コンピュータ４５３からネットワークより画像形成装置に対して、プリント要求のパケットを受信した時に復帰する。同様に、操作部復帰検出部４１４は操作部８００の省エネキー８０４が押下された時にも復帰する。また、外部コンピュータ４５３からＶＢＵＳ信号を検出してＵＳＢ復帰検出部４１１を経由して、電源制御部４１０に通知され、省電力モードから復帰する。
ＵＳＢ省電力モード（Ｐ１０４）
【００４１】
図８の電力供給状態は、ＵＳＢインタフェースに外部コンピュータ４５３との接続が認識されている場合にＣＰＵ４０１から省電力モードに移行する指示がきた場合に電源制御部４１０が制御する電源供給状態である。図７の電力状態から、ＵＳＢ復帰検出部４１１が動作可能になっている状態である。電源制御部４１０は、図７同様に第１のスイッチ３１９、第２のスイッチ３２０をＯＦＦ（切断）することで実現している。ただし、ＵＳＢ復帰検出部４１１の電力は外部コンピュータ４５３のＵＳＢのＶＢＵＳ信号（バス電源）から供給されている。外部コンピュータ４５３からＵＳＢ復帰検出部４１１へ給電している状態を斜線にて示す。
【００４２】
スタンバイモードへの復帰は、ＵＳＢ復帰検出部４１１が外部コンピュータ４５３からＵＳＢより画像形成装置に対して、所定の復帰要因に対応するプリント要求のパケットを受信したかを監視して、受信したら電源制御部４１０に通知する。ネットワーク復帰検出部４１３、操作部復帰検出部４１４からの復帰は、低消費電力モードの場合と同様である。
【００４３】
ＵＳＢ省電力モードから低消費電力モードへの移行は、外部コンピュータ４５３のＵＳＢのＶＢＵＳ信号がＯＦＦされた時点でＵＳＢ復帰検出部４１１も同時にＯＦＦされて移行する。例えば、ＵＳＢケーブルが抜かれた、外部コンピュータ４５３が省電力モードに入ってＶＢＵＳ信号がＯＦＦされた場合である。
ＪＯＢ実行モード（Ｐ１０５）
画像形成装置がＪＯＢを実行している状態であり、画像形成装置の全ての構成に対して電力供給が行われる。ジョブを終了すると、スタンバイモードに遷移する。
図９は、本実施形態を示す画像形成装置の制御方法を説明するフローチャートである。本例は、図１に示した画像形成装置のスタンバイ状態から各省電力モードに移行する状態遷移フローに対応する。なお、各ステップは、ＣＰＵ４０１がＲＯＭ２０２に記憶される制御プログラムを実行することで実現される。
【００４４】
画像形成装置がスタンバイモードにあるとき（Ｓ１００）、ＣＰＵ４０１は省エネ状態に移行するか否かを監視している（Ｓ１０１）。例えば、ユーザが操作部８００内の省エネキー８０４を押下させ省電力状態に移行を指示した場合、あるいは一定時間画像形成装置が未使用である場合に、ＣＰＵ４０１は省電力状態に移行する準備を開始する。
【００４５】
ＣＰＵ４０１は、省電力モードから復帰要因が入力された場合に復帰できるようにネットワーク復帰検出部４１３に対して受信待機設定を実施し、同様にＵＳＢ復帰検出部４１１に対しても受信待機設定を実施する（Ｓ１０２）。
【００４６】
次にＣＰＵ４０１は、ＲＡＭ４０３にＣＰＵ４０１自身のレジスタ情報、ステータスなど格納する。ＲＡＭ４０３への格納が終了したら、ＣＰＵ４０１は図示しないメモリコントローラに対して、ＲＡＭ４０３がセルフリフレッシュ状態になるように設定する（Ｓ１０３）。
ＣＰＵ４０１は、電源制御部４１０へ省電力モードへの移行を指示して、ソフトウェア処理を終了する（Ｓ１０４）。
省電力モードへの移行指示を受けた電源制御部４１０は、第１のスイッチ３１９および第２のスイッチ３２０を切断する（Ｓ１０５）。画像形成装置の処理としては、本動作で終了となる。
【００４７】
Ｓ１０５で電源制御部４１０が第１のスイッチ３１９および第２のスイッチ３２０が切断した時点で、外部コンピュータ４５３がＵＳＢ復帰検出部４１１と接続されている、すなわちＶＢＵＳ信号が供給されＵＳＢ信号が接続されているかの状態で省電力モードの移行が自動で変化する（Ｓ１０６）。
【００４８】
外部コンピュータ４５３がＵＳＢ復帰検出部４１１と接続されている場合（Ｓ１０７）には、電源制御部４１０が第１のスイッチ３１９および第２のスイッチ３２０が切断した時点で、外部コンピュータ４５３から外部Ｉ／Ｆ４５１、逆流防止回路４１５を介して、ＵＳＢ復帰検出部４１１に給電されるように電源が切り換えられる。結果、ＵＳＢ省電力モードとなる。
【００４９】
ここで逆流防止回路４１５は、スタンバイ状態のときに第１の電源３０４の給電が外部コンピュータ４５３に給電されないように設けている。スタンバイモードのとき、ＵＳＢ復帰検出部４１１は第２のスイッチ３２０が接続され、ＵＳＢ復帰検出部４１１は第１の電源３０４より供給されている。このとき、外部コンピュータ４５３が接続されるとＶＢＵＳ信号も供給される。すなわち、電源が衝突してしまうため、ダイオードやトランジスタなどを用いてスタンバイモードのときはＵＳＢ復帰検出部４１１にＶＢＵＳ信号も供給されないように構成する。逆流防止回路４１５の回路構成はこれに限ったものではない。
【００５０】
外部コンピュータ４５３がＵＳＢ復帰検出部４１１と接続されていない場合（Ｓ１０８）には、電源制御部４１０が第１のスイッチ３１９および第２のスイッチ３２０が切断した時点で、ＵＳＢ復帰検出部４１１の電源が切断される。
結果、低消費電力モードとなる。
【００５１】
図１０は、本実施形態を示す画像形成装置の制御方法を説明するフローチャートである。本例は、図１に示した画像形成装置の低消費電力モードからスタンバイモードに移行する状態遷移フローに対応する。なお、各ステップは、図３に示したＣＰＵ４０１がＲＯＭ２０２に記憶される制御プログラムに基づいて後述する検出部からの情報を処理することで実現される。
低消費電力モードにあるときには（Ｓ１０８）、各復帰要因が入力されスタンバイ状態へ復帰させるか否かを待つ（Ｓ２００）。操作部復帰検出部４１４は、省エネキー８０４が押下されるか、ネットワーク復帰検出部４１３は、画像形成装置にプリントＪＯＢや画像形成装置の情報取得のパケットが入力されるかを待つ。また、ＵＳＢ復帰検出部４１１は、この時点で給電されてはいないが外部コンピュータ４５３が接続されることにより、すなわちＶＢＵＳ信号が接続されＵＳＢ復帰検出部４１１が給電されることで復帰する。これらのいずれかの復帰要因が入力されると、電源制御部４１０に通知する。
復帰の通知をうけた電源制御部４１０は、第１のスイッチ３１９および第２のスイッチ３２０を接続して（Ｓ２０１）、画像形成装置全体に電源が供給される。
ＣＰＵ４０１は、ＲＡＭ４０３で保持している情報から復帰動作を行い（Ｓ２０２）、スタンバイモードに復帰する（Ｓ１００）。必要に応じて、プリント動作などの処理を行う。
図１１は、本実施形態を示す画像形成装置の制御方法を説明するフローチャートである。本例は、図１に示した画像形成装置のＵＳＢ省電力モードから各モードに移行する状態遷移フローに対応する。なお、各ステップは、図３に示したＣＰＵ４０１がＲＯＭ２０２に記憶される制御プログラムに基づいて後述する検出部からの情報を処理することで実現される。
ＵＳＢ省電力モード（Ｓ１０７）にあるときには、外部コンピュータ４５３がＵＳＢ復帰検出部４１１と接続され続けているかで状態が変化する（Ｓ３００）。
ＵＳＢ省電力モード中に、外部コンピュータ４５３との接続が切断された場合には、ＵＳＢ復帰検出部４１１の電源が切断され（Ｓ３０２）、そのまま低消費電力モードに移行する（Ｓ１０８）。
外部コンピュータ４５３との接続が継続されている場合には、各復帰要因が入力されスタンバイ状態へ復帰させるか否かを待つ（Ｓ３０１）。
【００５２】
操作部復帰検出部４１４は、省エネキー８０４が押下されるか、ネットワーク復帰検出部４１３は、画像形成装置にプリントＪＯＢや情報取得のパケットが入力されるかを待つ。また、ＵＳＢ復帰検出部４１１は、外部コンピュータ４５３の接続が継続されたままのため、画像形成装置にＵＳＢインタフェースからプリントＪＯＢが入力されることを待つ。これらのいずれかの復帰要因が入力されると、電源制御部４１０に通知する。
復帰の通知をうけた電源制御部４１０は、第１のスイッチ３１９および第２のスイッチ３２０を接続して（Ｓ３０３）、画像形成装置全体に電源が供給される。ＣＰＵ４０１はＲＡＭ４０３で保持している情報から復帰動作を行い（Ｓ３０４）、スタンバイモードに復帰する（Ｓ１００）。必要に応じて、プリント動作などの処理を行う。
この実施の形態に記載されているのはＵＳＢインタフェースに限定したが、ＦｉｒｅＷｉｒｅなどバスパワーを有するものにも適用でき、この発明の範囲を限定する趣旨のものではない。
【００５３】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５４】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５５】
４００  コントローラ制御部
４０１  ＣＰＵ
４０２  ＲＯＭ
４０３  ＲＡＭ
【図１】
2015152846.tif 000003
【図２】
2015152846.tif 000004
【図３】
2015152846.tif 000005
【図４】
2015152846.tif 000006
【図５】
2015152846.tif 000007
【図６】
2015152846.tif 000008
【図７】
2015152846.tif 000009
【図８】
2015152846.tif 000010
【図９】
2015152846.tif 000011
【図１０】
2015152846.tif 000012
【図１１】
2015152846.tif 000013